(57)【要約】      （修正有）【課題】装着者の美容と健康の増進と、病気の治療などの目的に叶うものなど当該装身具による装飾効果としての精神的効果に併せて、理学的効果をも奏して身体の健康と美容の増進を計ろうとすること。【解決手段】装身具本体の窪部に、粒子径０．１〜５０μｍのシリカ原石粉末体と、熱硬化性樹脂を重量比１：２乃至１：５の割合で混合し、熱約５０℃を加え樹脂を軟化させこの混合物の泡を取り除く為に振動を加えて撹伴しつつ流し込んで造られたシリカ焼結体を有し、この装身具本体を１２０℃〜２００℃で、２０分から３０分焼き固める電気炉等焼結型と、上記シリカ焼結体を研磨するリューター等の研磨を備えたこと。【選択図】図１
0003125789.tif 000002
【実用新案登録請求の範囲】
【請求項１】
金属など適宜の材料を素材として外観に所望の彫刻等を刻設し、かつその表面に１乃至複数の窪部を造形した装身具本体の原型を造る工程と、この原型を生ゴムあるいは合成ゴム等で略々完全に包懐し、然る後同ゴム等を２分し原型を取りだし、再び重ねあわせるなどしてゴム内に原型と同等の空洞を造る工程と、この空洞にシリコン樹脂等の流動物を流し込み、硬化するのを待ってこれを取り出すことにより装身具の樹脂型を造る工程と、この樹脂型の周囲に耐熱石膏液を流し込み、硬化するのを待って熱を加えシリコン樹脂等の石膏型を液化させかつ流しとることにより原型と同等の空洞を持った石膏型を造る工程と、１８金やプラチナやシルバーその他の液状貴金属材料を上記石膏型の空洞に流し込み、その表面に１乃至複数の窪部を造形した装身具本体を造る工程からなり、
装身具本体の窪部に、粒子径０．１〜５０μｍのシリカ原石粉末体と、熱硬化性樹脂を重量比１：２乃至１：５の割合で混合し、熱約５０℃を加え樹脂を軟化させこの混合物の泡を取り除く為に振動を加えて撹伴しつつ流し込んで造られたシリカ焼結体を有し、この装身具本体を１２０℃〜２００℃で、２０分から３０分焼き固める電気炉等焼結型と、上記シリカ焼結体を研磨するリューター等の研磨を備えたことを特徴とする、遠赤外線やマイナスイオンを発するネックレス，イヤリング，ブレスレットのような装身具。
【考案の詳細な説明】
【技術分野】
【０００１】
本考案は、少なくとも身体と接するネックレスやイヤリングやブレスレットなどの、装身具の改良に関するもので、詳しくは遠赤外線やマイナスイオンを発生させる事が出来る装身具に関するものである。
【背景技術】
【０００２】
さて上記の通常の装身具は、従来単に装飾としての価値しかなかったが、本願考案者はそれを装飾としての価値と、それを使用することによって自然に遠赤外線とマイナスイオンが発生し、人体の健康を促進させるという価値を附加した装身具の製造方法の発明をなしたのである。（特許文献１参照）
【特許文献１】特開２００３−１３５１１５公報
【考案の開示】
【考案が解決しようとする課題】
【０００３】
本考案は、さらに上記発明を改良するもので、装着者の美容と健康の増進と、病気の治療などの目的に叶うものなど当該装身具による装飾効果としての精神的効果に併せて、理学的効果をも奏して使用者の身体の健康と美容の増進を計ろうとするものである。
【課題を解決するための手段】
【０００４】
而して本考案の主な特徴は、遠赤外線やマイナスイオンを発する黒鉛珪石（ブラックシリカ）を含む、氏理化原石粉末体を用いる事で、この黒鉛珪石（ブラックシリカ）は、日本国北海道の桧山郡上ノ国町天の川上流のみ産出さるもので、数億年の間海 底の珪藻類が堆し,地表に隆起したと推定される天然鉱石であり多種の天然ミネラルをふんだんに含み、遠赤線をはじめとする様々な活性波動を放射発散するのが知られており、地表で生まれた物質の数倍という力で太陽エネルギーを吸収し、半永久的に放射する事を繰り返す。
【０００５】
またこの遠赤外線は、遠赤外線の中でも常温で、生体細胞を活発にする４ミクロン〜１４ミクの波長が強くこの波長の遠赤外線は、育成光線と言われ、生物の細胞分子に共鳴作用をし、血液や細胞そのものを活性化させます。これにより、全身の新陳代謝が促進され、生命高めます。）を、９８％放射し強力な除菌効果と非イオン化をして消臭効果をもたらす天然鉱石であり、特にネックレスやイヤリングやブレスレットのような適度の温度を有する人肌との接触でその効果は頗る高いものとなるのである。
【０００６】
また、マイナスイオンは、このネックレスやブレスレットやイヤリングなど人の歩行などによって揺れ動く事により、特に多くのマイナスイオンが発せられ、これを装着する者の心を所謂「和ませ」、生活環境を改善して、生活環境病を和らげるなど、健康にも秀れたこうかを発揮するのである。
【０００７】
即ち、イオンは電気を帯びている小さな物質でその大きさは１／１０００ｍｍと言われ、肉眼ではもちろん一般の顕微鏡でさえ見ることの出来ない微粒子である。
【０００８】
そしてこのごくごく小さな物質には、プラスの電気を帯びたもの（プラスイオン）とマイナスの電気を帯びたもの（マイナスイオン）の二種類があり、お互いに結びついてさまざまな物質を作っている。
【０００９】
加えて、人間は細胞の新陳代謝によって生命を維持しているほかに、呼吸を通してイオンを摂取する機能を持っており、摂取されたイオンは細胞へ運ばれ、細胞膜を介してイオン交換が行われるのである。
【００１０】
このイオン交換とは、すなわち細胞内の老廃物や炭酸ガスを出して、必要な酸素や栄養素を取り入れるシステムで、そのイオンのバランスによって体のコンディションは大いに左右されるのであるが、現代社会は様々な形でプラスイオンの多い環境を作り上げてしまったのである。
【００１１】
具体的には、日々、自動車がまき散らす排気ガスがその代表であり、これはプラスイオンを増殖させる最たるものである。
【００１２】
具体的に本考案の特徴は、金属など適宜の材料を素材として外観に所望の彫刻等を刻設し、かつその表面に１乃至複数の窪部を造形した装身具本体の原型を造る工程と、この原型を生ゴムあるいは合成ゴム等で略々完全に包懐し、然る後同ゴム等を２分し原型を取りだし、再び重ねあわせるなどしてゴム内に原型と同等の空洞を造る工程と、この空洞にシリコン樹脂等の流動物を流し込み、硬化するのを待ってこれを取り出すことにより装身具の樹脂型を造る工程と、この樹脂型の周囲に耐熱石膏液を流し込み、硬化するのを待って熱を加えシリコン樹脂等の石膏型を液化させかつ流しとることにより原型と同等の空洞を持った石膏型を造る工程と、１８金やプラチナやシルバーその他の液状貴金属材料を上記石膏型の空洞に流し込み、その表面に１乃至複数の窪部を造形した装身具本体を造る工程からなり、装身具本体の窪部に、粒子径０．１〜５０μｍのシリカ原石粉末体と、熱硬化性樹脂を重量比１：２乃至１：５の割合で混合し、熱約５０℃を加え樹脂を軟化させこの混合物の泡を取り除く為に振動を加えて撹伴しつつ流し込んで造られたシリカ焼結体を有し、この装身具本体を１２０℃〜２００℃で、２０分から３０分焼き固める電気炉等焼結型と、上記シリカ焼結体を研磨するリューター等の研磨を備えたことである。
【考案の効果】
【００１３】
総じて本考案の効果は、簡単な工程であり乍ら所謂ロスの発生がなく、しかも遠赤外線やマイナスイオンを発するネックレスやイヤリングやブレスレットのような装身具を提供する事にある。
【考案を実施するための最良の形態】
【００１４】
次に本考案装身具をよく理解するため、図６の実施例２示したネックレス製造方法の一例のもので説明する。
【００１５】
この製造方法は図１の背面図、図２の正面図に示したようなネックレス（１）を完成させるもので、これは特に図３、図４に拡大して示すように水平方向に２個並んだピース（２）と１個のピース（３）を交互に並べて組成して造られる。
【００１６】
そこで今１個のピース（３）を造る場合で述べると、これは図６（ａ）のように適当な金属を「舟状」に削り、特にその上面（４）から下方に削り込み、窪部（５）を形成する。
【００１７】
この場合かかる窪部（５）は、図示のように１つの窪部であっても複数の窪部であってもよい。またこのピース（３）の側面周囲には単に美しく磨き上げるほか、波形やダイヤモンドカットのような作者の自由な模様や形状の彫刻を穿ってもよい。
【００１８】
なお図で（６）はこのピース（３）の軸線両端に外方向に向かって設けた突出部で、これには後述する貫通孔が穿たれ、各ピース（２）（３）は連結できるようになっている。
【００１９】
いまこの完成されたピース（３）は、図６の（ｂ）のようにその外方向に支え棒（７）を溶着等の手段で設け、ピース（３）の原形（８）が完成する。
【００２０】
ついでこのピース原形（８）よりやや大きい型枠（９）内に生ゴムまたは合成ゴム（１０）などの塑性材料を敷き詰めておき、これに上記ピース原形（８）を指先などでピース原形（８）が外部からみえないようかつ、その外周に密に接するよう押し固め包み込むようにする。
【００２１】
続いて、上記ゴムまたは合成ゴムがある程度固化するのを待って当該ゴムまたは合成ゴム（１０）はもとの状態に重ね合わせる。この結果ゴムまたは合成ゴム（１０）内にはピース原形（８）の形状のままの空洞（１１）及び上記支え棒（７）で造られる湯道（１２）が形成される。
【００２２】
一方液状のシリコン樹脂などの流動物（１３）を用意し、上記の湯道（１２）からゴムあるいは合成ゴム（１０）内に出来た空洞（１１）に流し込み、硬化するのを待ちゴムあるいは合成ゴム（１０）を取り除いて、図６の（ｅ）に示すような樹脂型（１４）を造る。
【００２３】
次に図６の（ｆ）に示すような石膏外枠（１５）を用意し、流体状の石膏（１６）を流し込みつつ、その中心部に上記樹脂型（１４）を入れるが、この場合図６の（ｆ）のように樹脂湯道（１７）を造っておく事当然である。
【００２４】
そして石膏（１６）が完全に凝まるのをまってこの石膏を約５０℃程度暖めると、上記シリコン樹脂のような流動物（１３）は液化し、６図の（ｆ）の状態を反転させるなど、樹脂湯道（１７）を下方とするなどすれば、流動物（１３）は外に流れ落ち、結果、石膏（１６）内には空洞型（１８）が形成される。
【００２５】
ここで、１８金やプラチナやシルバー、その他の貴金属を適宜に選び出し、これに熱を加えて液化させ、この液化された貴金属を上記石膏（１６）の空洞型（１８）に流し込み、固化するのを待ってこれを取り出し、図６の（ａ）のような１個のピース（３）あるいは上記と同等の製造手段で製造された２個のピース（２）を得るものである。
【００２６】
また別に、その具体的な装置の構造は図示してないが、要は図６（ｇ）のように粒子径が約３．５μｍのシリカ原石粉末体と熱硬化性樹脂の一例として一液性エポキシ配合樹脂（２０）を適当なな装置乃至タンクで重量比１：２の割合で混合し、この混合物に熱（約５０℃）を加え樹脂を軟化し、混合物を前記ピース（２）及び（３）の窪部（５）に図示しないノズル等で順に流し込み、その流し込み時泡を取り除く為に振動を加えて撹伴する。
【００２７】
その後、図示しないが電気炉に入れて１７０℃の熱を加え２０分から３０分焼き固め、自然冷却後リューターで研磨し、パフで艶出しその他の仕上げ加工を施してピース（２）及び連結橋（１９）で連なったピース（３）の溝部（５）にシリカ焼結体を配備して完成するものである。なお、シリカ原石粉末体の粒子径は０．１〜５０μｍ内から選択できるものである。
【００２８】
また熱硬化性樹脂の実施例としては、前記エポキシ樹脂の他にフェノール系樹脂等を用いることができる。また、シリカ原石の粉末体と熱硬化性樹脂との重量比を１：２〜１：５で選択できるものである。
【００２９】
さらに混合物を流し込みまたは注入する部分は、ピース（２）及び（３）の窪部（５）に限定されるものではなく、図示しないが窪部に類する欠所であってもよいものである。
【００３０】
前記の実施例は、装身具の一例としてネックレス（１）用のピース（２）及び（３）で説明したが、その資材についても１８金に限定するものでなく、プラチナ、シルバーその他であってもよいものである。また、形状、表面模様、表面宝石施飾、貴金属施飾についても行え、前記実施例の外観に限定するものではない。
【００３１】
而して本実施例のピース（２）及び（３）をネックレス（１）にするには、予めピース（２）及び（３）の突出部（６）に小孔（２２）を穿ち、１個のピース（３）の一端にある突出部（６）を、２個のピース（２）の間に置く。
【００３２】
次いで金属材料で造られた図１でみられるような細いピン（２３）を２個のピース（２）の突出部（６）の小孔（２２）に通し、次いで１個のピース（３）の突出部（６）の小孔（２２）と通し固定し、これらを順次繰り返して環状（２４）となし、その一部に公知の掛止具（２５）を備えネックレス（１）を得るものである。
【００３３】
続いてこのネックレス（１）を使用するには、そのシリカ焼結体がなるべく身体に直接接触するように着用する事が肝要である。
【００３４】
即ち、このように完成された装身具部材は、ネックレスの外、イヤリングやブレスレット、アンクレット、ピアスなど各種の基材の装飾用途に従ってその適宜個所に貼着、熔着、嵌挿などの手段で装着されるものであるが、この場合かかる装身具部材を使用するときは身体に直接触れるように構成すれば、上記シリカ（珪石）や、ブラックシリカ（黒鉛珪石）の秀れた効果が身体に作用するのであるが、特に図９乃至図１０のように、この装飾具を嵌め込む腕や首に２段あるいはそれ以上の複数段嵌めるようにすれば、さらにその効果が増大すること勿論である。
【００３５】
而して図９にあって、（Ｄ１）は本考案の実施方法で得た装身具であるブレスレット（Ｇ）を装着する以前のサーモグラフィックス写真であり、（Ｄ２）乃至（Ｄ８）は、それぞれこのブレスレット（Ｇ）を装着して１０分毎の経過の状況を示したサーモグラフィックス写真である。
【００３６】
また図１０は上記本考案の実施方法で得た装身具を上記のようにネックレス（１）に加工し、これを首に装着した時のサーモグラフィックス写真であり、（Ｆ１）は未装着の状態、（Ｆ２）乃至（Ｆ８）は前記同様１０分毎の経過の状況を示したサーモグラフィック写真であり、この結果からも明らかなように、本考案に掛かる装身具の優秀性が立証されたのである。
【００３７】
即ちこの写真でみれば一目瞭然のように、本考案のブレスレットやネックレスを装着した場合、そのブラックシリカにより使用者の自律神経を調整し、再往の活性化を助長し、新陳代謝を活発にする効果が発揮されたのである。
【００３８】
また参考までに、上記配合・成形方法において、不飽和ポリエステル樹脂とブラックシリカなどのシリカ粉末の重量比を９９:１，９５:５，９０:１０，６７:３３の各配合で混練成形した樹脂板（たて５ｃｍ×横５ｃｍ×厚さ０．５ｃｍ）について、測定装置（日本電子 (株) ＦＴ−ＩＲ６５００）によって３９．９℃でマイナスイオン放射率を測定した結果は図７に示すとおりである。これにより、黒鉛珪石を樹脂化して成形した板が常温において、マイナスイオンを放射することを確認した。
【００３９】
さらにこのマイナスイオン放射率を測定した結果は下記表１及び図８に示すとおりである。これにより、黒鉛珪石を樹脂化して成形した板が常温において、マイナスイオンを放射することを確認した。
【表１】
0003125789.tif 000003
【００４０】
総じてこの考案に係る装身具は、常温で遠赤外線放射機能を有する天然の黒鉛珪石を含むシリカ粉末体を配合したため、このシリカ原石の遠赤外線放射機能によってイヤリングなど全体から常温でマイナスイオンが放射される常温の一般的な使用態様において簡易にマイナスイオンおよび遠赤外線の効能を享受することがでたのである。
【図面の簡単な説明】
【００４１】
【図１】本考案の一実施例であるシリカ焼結体を備えたネックレスの正面図
【図２】同背面図
【図３】同拡大正面図
【図４】同拡大背面図
【図５】図３のＡ−Ａ線断面図
【図６】製造方法の流れを示す一例の説明図
【図７】遠赤外線放射機能グラフ
【図８】マイナスイオンを発生する機能を示すグラフ
【図９】本考案装身具であるブレスレットを嵌めた時の、身体に与える好影響を示すサーモグラフィックス写真である
【図１０】本考案装身具であるネックレスを嵌めた時の、身体に与える好影響を示すサーモグラフィックス写真である
【符号の説明】
【００４２】
１  ネックレス
２  ２個並んだピース
３  １個のピース
４  上面
５  窪部
６  突出部
７  支え棒
８  原形
９  大きい型枠
１０  合成ゴム
１１  空洞
１２  湯道
１３  流動物
１４  樹脂型
１５  石膏外枠
１６  石膏
１７  樹脂湯道
１８  空洞型
１９  連結橋
２０  一液性エポキシ配合樹脂
２１  シリカ焼結体
２２  小孔
２３  細いピン
２４  環状
２５  掛止具
Ｄ  サーモグラフィックス写真
Ｆ  サーモグラフィックス写真
【図１】
0003125789.tif 000004
【図２】
0003125789.tif 000005
【図３】
0003125789.tif 000006
【図４】
0003125789.tif 000007
【図５】
0003125789.tif 000008
【図６】
0003125789.tif 000009
【図７】
0003125789.tif 000010
【図８】
0003125789.tif 000011
【図９】
0003125789.tif 000012
【図１０】
0003125789.tif 000013
【手続補正書】
【提出日】平成18年7月26日(2006.7.26)
【手続補正１】
【補正対象書類名】実用新案登録請求の範囲
【補正対象項目名】全文
【補正方法】変更
【補正の内容】
【実用新案登録請求の範囲】
【請求項１】
金属など適宜の材料を素材として外観に所望の彫刻等を刻設し、かつその表面に１乃至複数の窪部を造形した装身具本体の原型を造り、この原型を生ゴムあるいは合成ゴム等で略々完全に包懐し、然る後同ゴム等を２分し原型を取りだし、再び重ねあわせるなどしてゴム内に原型と同等の空洞を造り、この空洞にシリコン樹脂等の流動物を流し込み、硬化するのを待ってこれを取り出すことにより装身具の樹脂型を造り、この樹脂型の周囲に耐熱石膏液を流し込み、硬化するのを待って熱を加えシリコン樹脂等の石膏型を液化させかつ流しとることにより原型と同等の空洞を持った石膏型を造り、１８金やプラチナやシルバーその他の液状貴金属材料を上記石膏型の空洞に流し込み、その表面に１乃至複数の窪部を造形した装身具本体を造り、この装身具本体の窪部に、粒子径０．１〜５０μｍのシリカ原石粉末体と、熱硬化性樹脂を重量比１：２乃至１：５の割合で混合し、熱約５０℃を加え樹脂を軟化させこの混合物の泡を取り除く為に振動を加えて撹伴しつつ流し込んで造られたシリカ焼結体を設け、この装身具本体を電気炉等焼結型を用い１２０℃〜２００℃で、２０分から３０分焼き固め、リューター等で研磨したシリカ焼結体を有する、遠赤外線やマイナスイオンを発するネックレス，イヤリング，ブレスレットのような装身具。
【手続補正２】
【補正対象書類名】明細書
【補正対象項目名】全文
【補正方法】変更
【補正の内容】
【考案の詳細な説明】
【技術分野】
【０００１】
本考案は、少なくとも身体と接するネックレスやイヤリングやブレスレットなどの、装身具の改良に関するもので、詳しくは遠赤外線やマイナスイオンを発生させる事が出来る装身具に関するものである。
【背景技術】
【０００２】
さて上記の通常の装身具は、従来単に装飾としての価値しかなかったが、本願考案者はそれを装飾としての価値と、それを使用することによって自然に遠赤外線とマイナスイオンが発生し、人体の健康を促進させるという価値を附加した装身具の製造方法の考案をなしたのである。（特許文献１参照）
【特許文献１】特開２００３−１３５１１５公報
【考案の開示】
【考案が解決しようとする課題】
【０００３】
本考案は、さらに上記発明を改良するもので、装着者の美容と健康の増進と、病気の治療などの目的に叶うものなど当該装身具による装飾効果としての精神的効果に併せて、理学的効果をも奏して使用者の身体の健康と美容の増進を計ろうとするものである。
【課題を解決するための手段】
【０００４】
而して本考案の主な特徴は、遠赤外線やマイナスイオンを発する黒鉛珪石（ブラックシリカ）を含む、氏理化原石粉末体を用いる事で、この黒鉛珪石（ブラックシリカ）は、日本国北海道の桧山郡上ノ国町天の川上流のみ産出さるもので、数億年の間海 底の珪藻類が堆し,地表に隆起したと推定される天然鉱石であり多種の天然ミネラルをふんだんに含み、遠赤線をはじめとする様々な活性波動を放射発散するのが知られており、地表で生まれた物質の数倍という力で太陽エネルギーを吸収し、半永久的に放射する事を繰り返す。
【０００５】
またこの遠赤外線は、遠赤外線の中でも常温で、生体細胞を活発にする４ミクロン〜１４ミクの波長が強くこの波長の遠赤外線は、育成光線と言われ、生物の細胞分子に共鳴作用をし、血液や細胞そのものを活性化させます。これにより、全身の新陳代謝が促進され、生命高めます。）を、９８％放射し強力な除菌効果と非イオン化をして消臭効果をもたらす天然鉱石であり、特にネックレスやイヤリングやブレスレットのような適度の温度を有する人肌との接触でその効果は頗る高いものとなるのである。
【０００６】
また、マイナスイオンは、このネックレスやブレスレットやイヤリングなど人の歩行などによって揺れ動く事により、特に多くのマイナスイオンが発せられ、これを装着する者の心を所謂「和ませ」、生活環境を改善して、生活環境病を和らげるなど、健康にも秀れたこうかを発揮するのである。
【０００７】
即ち、イオンは電気を帯びている小さな物質でその大きさは１／１０００ｍｍと言われ、肉眼ではもちろん一般の顕微鏡でさえ見ることの出来ない微粒子である。
【０００８】
そしてこのごくごく小さな物質には、プラスの電気を帯びたもの（プラスイオン）とマイナスの電気を帯びたもの（マイナスイオン）の二種類があり、お互いに結びついてさまざまな物質を作っている。
【０００９】
加えて、人間は細胞の新陳代謝によって生命を維持しているほかに、呼吸を通してイオンを摂取する機能を持っており、摂取されたイオンは細胞へ運ばれ、細胞膜を介してイオン交換が行われるのである。
【００１０】
このイオン交換とは、すなわち細胞内の老廃物や炭酸ガスを出して、必要な酸素や栄養素を取り入れるシステムで、そのイオンのバランスによって体のコンディションは大いに左右されるのであるが、現代社会は様々な形でプラスイオンの多い環境を作り上げてしまったのである。
【００１１】
具体的には、日々、自動車がまき散らす排気ガスがその代表であり、これはプラスイオンを増殖させる最たるものである。
【００１２】
具体的に本考案の特徴は、金属など適宜の材料を素材として外観に所望の彫刻等を刻設し、かつその表面に１乃至複数の窪部を造形した装身具本体の原型を造り、この原型を生ゴムあるいは合成ゴム等で略々完全に包懐し、然る後同ゴム等を２分し原型を取りだし、再び重ねあわせるなどしてゴム内に原型と同等の空洞を造り、この空洞にシリコン樹脂等の流動物を流し込み、硬化するのを待ってこれを取り出すことにより装身具の樹脂型を造り、この樹脂型の周囲に耐熱石膏液を流し込み、硬化するのを待って熱を加えシリコン樹脂等の石膏型を液化させかつ流しとることにより原型と同等の空洞を持った石膏型を造り、１８金やプラチナやシルバーその他の液状貴金属材料を上記石膏型の空洞に流し込み、その表面に１乃至複数の窪部を造形した装身具本体を造り、この装身具本体の窪部に、粒子径０．１〜５０μｍのシリカ原石粉末体と、熱硬化性樹脂を重量比１：２乃至１：５の割合で混合し、熱約５０℃を加え樹脂を軟化させこの混合物の泡を取り除く為に振動を加えて撹伴しつつ流し込んで造られたシリカ焼結体を設け、この装身具本体を電気炉等焼結型を用い１２０℃〜２００℃で、２０分から３０分焼き固め、リューター等で研磨したシリカ焼結体を有する、遠赤外線やマイナスイオンを発するネックレス，イヤリング，ブレスレットのような装身具
にある。
【考案の効果】
【００１３】
総じて本考案の効果は、簡単な工程であり乍ら所謂ロスの発生がなく、しかも遠赤外線やマイナスイオンを発するネックレスやイヤリングやブレスレットのような装身具を提供する事にある。
【考案を実施するための最良の形態】
【００１４】
次に本考案装身具をよく理解するため、図６の実施例２示したネックレス製造方法の一例のもので説明する。
【００１５】
この製造方法は図１の背面図、図２の正面図に示したようなネックレス（１）を完成させるもので、これは特に図３、図４に拡大して示すように水平方向に２個並んだピース（２）と１個のピース（３）を交互に並べて組成して造られる。
【００１６】
そこで今１個のピース（３）を造る場合で述べると、これは図６（ａ）のように適当な金属を「舟状」に削り、特にその上面（４）から下方に削り込み、窪部（５）を形成する。
【００１７】
この場合かかる窪部（５）は、図示のように１つの窪部であっても複数の窪部であってもよい。またこのピース（３）の側面周囲には単に美しく磨き上げるほか、波形やダイヤモンドカットのような作者の自由な模様や形状の彫刻を穿ってもよい。
【００１８】
なお図で（６）はこのピース（３）の軸線両端に外方向に向かって設けた突出部で、これには後述する貫通孔が穿たれ、各ピース（２）（３）は連結できるようになっている。
【００１９】
いまこの完成されたピース（３）は、図６の（ｂ）のようにその外方向に支え棒（７）を溶着等の手段で設け、ピース（３）の原形（８）が完成する。
【００２０】
ついでこのピース原形（８）よりやや大きい型枠（９）内に生ゴムまたは合成ゴム（１０）などの塑性材料を敷き詰めておき、これに上記ピース原形（８）を指先などでピース原形（８）が外部からみえないようかつ、その外周に密に接するよう押し固め包み込むようにする。
【００２１】
続いて、上記ゴムまたは合成ゴムがある程度固化するのを待って当該ゴムまたは合成ゴム（１０）はもとの状態に重ね合わせる。この結果ゴムまたは合成ゴム（１０）内にはピース原形（８）の形状のままの空洞（１１）及び上記支え棒（７）で造られる湯道（１２）が形成される。
【００２２】
一方液状のシリコン樹脂などの流動物（１３）を用意し、上記の湯道（１２）からゴムあるいは合成ゴム（１０）内に出来た空洞（１１）に流し込み、硬化するのを待ちゴムあるいは合成ゴム（１０）を取り除いて、図６の（ｅ）に示すような樹脂型（１４）を造る。
【００２３】
次に図６の（ｆ）に示すような石膏外枠（１５）を用意し、流体状の石膏（１６）を流し込みつつ、その中心部に上記樹脂型（１４）を入れるが、この場合図６の（ｆ）のように樹脂湯道（１７）を造っておく事当然である。
【００２４】
そして石膏（１６）が完全に凝まるのをまってこの石膏を約５０℃程度暖めると、上記シリコン樹脂のような流動物（１３）は液化し、６図の（ｆ）の状態を反転させるなど、樹脂湯道（１７）を下方とするなどすれば、流動物（１３）は外に流れ落ち、結果、石膏（１６）内には空洞型（１８）が形成される。
【００２５】
ここで、１８金やプラチナやシルバー、その他の貴金属を適宜に選び出し、これに熱を加えて液化させ、この液化された貴金属を上記石膏（１６）の空洞型（１８）に流し込み、固化するのを待ってこれを取り出し、図６の（ａ）のような１個のピース（３）あるいは上記と同等の製造手段で製造された２個のピース（２）を得るものである。
【００２６】
また別に、その具体的な装置の構造は図示してないが、要は図６（ｇ）のように粒子径が約３．５μｍのシリカ原石粉末体と熱硬化性樹脂の一例として一液性エポキシ配合樹脂（２０）を適当なな装置乃至タンクで重量比１：２の割合で混合し、この混合物に熱（約５０℃）を加え樹脂を軟化し、混合物を前記ピース（２）及び（３）の窪部（５）に図示しないノズル等で順に流し込み、その流し込み時泡を取り除く為に振動を加えて撹伴する。
【００２７】
その後、図示しないが電気炉に入れて１７０℃の熱を加え２０分から３０分焼き固め、自然冷却後リューターで研磨し、パフで艶出しその他の仕上げ加工を施してピース（２）及び連結橋（１９）で連なったピース（３）の溝部（５）にシリカ焼結体を配備して完成するものである。なお、シリカ原石粉末体の粒子径は０．１〜５０μｍ内から選択できるものである。
【００２８】
また熱硬化性樹脂の実施例としては、前記エポキシ樹脂の他にフェノール系樹脂等を用いることができる。また、シリカ原石の粉末体と熱硬化性樹脂との重量比を１：２〜１：５で選択できるものである。
【００２９】
さらに混合物を流し込みまたは注入する部分は、ピース（２）及び（３）の窪部（５）に限定されるものではなく、図示しないが窪部に類する欠所であってもよいものである。
【００３０】
前記の実施例は、装身具の一例としてネックレス（１）用のピース（２）及び（３）で説明したが、その資材についても１８金に限定するものでなく、プラチナ、シルバーその他であってもよいものである。また、形状、表面模様、表面宝石施飾、貴金属施飾についても行え、前記実施例の外観に限定するものではない。
【００３１】
而して本実施例のピース（２）及び（３）をネックレス（１）にするには、予めピース（２）及び（３）の突出部（６）に小孔（２２）を穿ち、１個のピース（３）の一端にある突出部（６）を、２個のピース（２）の間に置く。
【００３２】
次いで金属材料で造られた図１でみられるような細いピン（２３）を２個のピース（２）の突出部（６）の小孔（２２）に通し、次いで１個のピース（３）の突出部（６）の小孔（２２）と通し固定し、これらを順次繰り返して環状（２４）となし、その一部に公知の掛止具（２５）を備えネックレス（１）を得るものである。
【００３３】
続いてこのネックレス（１）を使用するには、そのシリカ焼結体がなるべく身体に直接接触するように着用する事が肝要である。
【００３４】
即ち、このように完成された装身具部材は、ネックレスの外、イヤリングやブレスレット、アンクレット、ピアスなど各種の基材の装飾用途に従ってその適宜個所に貼着、熔着、嵌挿などの手段で装着されるものであるが、この場合かかる装身具部材を使用するときは身体に直接触れるように構成すれば、上記シリカ（珪石）や、ブラックシリカ（黒鉛珪石）の秀れた効果が身体に作用するのであるが、特に図９乃至図１０のように、この装飾具を嵌め込む腕や首に２段あるいはそれ以上の複数段嵌めるようにすれば、さらにその効果が増大すること勿論である。
【００３５】
而して図９にあって、（Ｄ１）は本考案の実施方法で得た装身具であるブレスレット（Ｇ）を装着する以前のサーモグラフィックス写真であり、（Ｄ２）乃至（Ｄ８）は、それぞれこのブレスレット（Ｇ）を装着して１０分毎の経過の状況を示したサーモグラフィックス写真である。
【００３６】
また図１０は上記本考案の実施方法で得た装身具を上記のようにネックレス（１）に加工し、これを首に装着した時のサーモグラフィックス写真であり、（Ｆ１）は未装着の状態、（Ｆ２）乃至（Ｆ８）は前記同様１０分毎の経過の状況を示したサーモグラフィック写真であり、この結果からも明らかなように、本考案に掛かる装身具の優秀性が立証されたのである。
【００３７】
即ちこの写真でみれば一目瞭然のように、本考案のブレスレットやネックレスを装着した場合、そのブラックシリカにより使用者の自律神経を調整し、再往の活性化を助長し、新陳代謝を活発にする効果が発揮されたのである。
【００３８】
また参考までに、上記配合・成形方法において、不飽和ポリエステル樹脂とブラックシリカなどのシリカ粉末の重量比を９９:１，９５:５，９０:１０，６７:３３の各配合で混練成形した樹脂板（たて５ｃｍ×横５ｃｍ×厚さ０．５ｃｍ）について、測定装置（日本電子 (株) ＦＴ−ＩＲ６５００）によって３９．９℃でマイナスイオン放射率を測定した結果は図７に示すとおりである。これにより、黒鉛珪石を樹脂化して成形した板が常温において、マイナスイオンを放射することを確認した。
【００３９】
さらにこのマイナスイオン放射率を測定した結果は下記表１及び図８に示すとおりである。これにより、黒鉛珪石を樹脂化して成形した板が常温において、マイナスイオンを放射することを確認した。
【表１】
0003125789.tif 000014
【００４０】
総じてこの考案に係る装身具は、常温で遠赤外線放射機能を有する天然の黒鉛珪石を含むシリカ粉末体を配合したため、このシリカ原石の遠赤外線放射機能によってイヤリングなど全体から常温でマイナスイオンが放射される常温の一般的な使用態様において簡易にマイナスイオンおよび遠赤外線の効能を享受することがでたのである。
【図面の簡単な説明】
【００４１】
【図１】本考案の一実施例であるシリカ焼結体を備えたネックレスの正面図
【図２】同背面図
【図３】同拡大正面図
【図４】同拡大背面図
【図５】図３のＡ−Ａ線断面図
【図６】製造方法の流れを示す一例の説明図
【図７】遠赤外線放射機能グラフ
【図８】マイナスイオンを発生する機能を示すグラフ
【図９】本考案装身具であるブレスレットを嵌めた時の、身体に与える好影響を示すサーモグラフィックス写真である
【図１０】本考案装身具であるブレスレットを嵌めた時の、身体に与える好影響を示すサーモグラフィックス写真である
【符号の説明】
【００４２】
１  ネックレス
２  ２個並んだピース
３  １個のピース
４  上面
５  窪部
６  突出部
７  支え棒
８  原形
９  大きい型枠
１０  合成ゴム
１１  空洞
１２  湯道
１３  流動物
１４  樹脂型
１５  石膏外枠
１６  石膏
１７  樹脂湯道
１８  空洞型
１９  連結橋
２０  一液性エポキシ配合樹脂
２１  シリカ焼結体
２２  小孔
２３  細いピン
２４  環状
２５  掛止具
Ｄ  サーモグラフィックス写真
Ｆ  サーモグラフィックス写真